(57)【要約】セル再選択方法、装置及び通信システムを提供し、該セル再選択方法は、ユーザ装置が、ＰｒｏＳｅをサポートしており、且つ信号強度が所定閾値以上であるセルを決定するステップと、該ユーザ装置が、該セルを再選択するステップと、を含む。本発明の実施例によれば、信号の最も強いセルがＰｒｏＳｅをサポートしていない場合であっても、ユーザ装置は新たなセルを再選択してＰｒｏＳｅを行うことができる。【選択図】図３
2017537552.tif 000002
【特許請求の範囲】
【請求項１】
ＰｒｏＳｅ（近接ベースサービス）を行うようにトリガされたユーザ装置に適用されるセル再選択方法であって、
前記ユーザ装置が、ＰｒｏＳｅをサポートしており、且つ信号強度が所定閾値以上であるセルを決定するステップと、
前記ユーザ装置が、前記セルを再選択するステップと、を含む、セル再選択方法。
【請求項２】
前記セルを決定する前に、前記ユーザ装置がアイドル状態にあり、且つＰｒｏＳｅをサポートしていないセルに在圏し、
在圏セルの所在するキャリアにおける１つ又は複数のセルは、ＰｒｏＳｅをサポートしている、請求項１に記載のセル再選択方法。
【請求項３】
前記ユーザ装置が、ＰｒｏＳｅをサポートしており、且つ信号強度が所定閾値以上であるセルを決定するステップは、
同一のキャリアにおけるセルについて、セルがＰｒｏＳｅをサポートしており、且つ該セルの信号強度が前記所定閾値以上である場合、前記ユーザ装置が、前記セルを前記再選択されるセルとして決定するステップ、を含む、請求項２に記載のセル再選択方法。
【請求項４】
前記ユーザ装置が、ＰｒｏＳｅをサポートしており、且つ信号強度が所定閾値以上であるセルを決定するステップは、
同一のキャリアにおけるセルについて、該セルを、ＰｒｏＳｅをサポートしているセルとＰｒｏＳｅをサポートしていないセルとに分類するステップと、
前記ＰｒｏＳｅをサポートしているセルについて、信号強度が前記所定閾値以上であるセルを信号強度に従って並び替えるステップと、
並び替え後の結果に基づいて、前記再選択されるセルを決定するステップと、を含む、請求項２に記載のセル再選択方法。
【請求項５】
並び替え後の信号強度の最も強いセルを、前記再選択されるセルとして決定する、請求項４に記載のセル再選択方法。
【請求項６】
前記セルを決定する前に、前記ユーザ装置がアイドル状態にあり、且つＰｒｏＳｅをサポートしていないセルに在圏し、
在圏セルの所在するキャリアと同一の優先順位を有するキャリアにおける一部のセル又は全てのセルは、ＰｒｏＳｅをサポートしている、請求項１に記載のセル再選択方法。
【請求項７】
前記ユーザ装置が、ＰｒｏＳｅをサポートしており、且つ信号強度が所定閾値以上であるセルを決定するステップは、
同一の優先順位を有する複数のキャリアにおけるセルについて、セルがＰｒｏＳｅをサポートしており、且つ該セルの信号強度が前記所定閾値以上である場合、前記ユーザ装置が、前記セルを前記再選択されるセルとして決定するステップ、を含む、請求項６に記載のセル再選択方法。
【請求項８】
前記ユーザ装置が、ＰｒｏＳｅをサポートしており、且つ信号強度が所定閾値以上であるセルを決定するステップは、
同一の優先順位を有する複数のキャリアにおけるセルについて、該セルを、ＰｒｏＳｅをサポートしているセルとＰｒｏＳｅをサポートしていないセルとに分類するステップと、
前記ＰｒｏＳｅをサポートしているセルについて、信号強度が前記所定閾値以上であるセルを信号強度に従って並び替えるステップと、
並び替え後の結果に基づいて、前記再選択されるセルを決定するステップと、を含む、請求項６に記載のセル再選択方法。
【請求項９】
並び替え後の信号強度の最も強いセルを、前記再選択されるセルとして決定する、請求項８に記載のセル再選択方法。
【請求項１０】
前記セルを決定する前に、前記ユーザ装置が、システム情報を受信するステップ、をさらに含み、
前記システム情報は、ＰｒｏＳｅをサポートしているセルの情報及び／又はＰｒｏＳｅをサポートしているキャリアの情報を含む、請求項１に記載のセル再選択方法。
【請求項１１】
ＰｒｏＳｅ（近接ベースサービス）を行うようにトリガされたユーザ装置に配置されるセル再選択装置であって、
ＰｒｏＳｅをサポートしており、且つ信号強度が所定閾値以上であるセルを決定するセル決定手段と、
前記ユーザ装置が前記セルを再選択するようにさせるセル再選択手段と、を含む、セル再選択装置。
【請求項１２】
前記セル決定手段は、同一のキャリアにおけるセルについて、セルがＰｒｏＳｅをサポートしており、且つ該セルの信号強度が前記所定閾値以上である場合、前記セルを前記再選択されるセルとして決定する、請求項１１に記載のセル再選択装置。
【請求項１３】
前記セル決定手段は、
同一のキャリアにおけるセルについて、該セルを、ＰｒｏＳｅをサポートしているセルとＰｒｏＳｅをサポートしていないセルとに分類する分類手段と、
前記ＰｒｏＳｅをサポートしているセルについて、信号強度が前記所定閾値以上であるセルを信号強度に従って並び替える並び替え手段と、
並び替え後の結果に基づいて、前記再選択されるセルを決定する結果決定手段と、を含む、請求項１１に記載のセル再選択装置。
【請求項１４】
前記結果決定手段は、並び替え後の信号強度の最も強いセルを、前記再選択されるセルとして決定する、請求項１３に記載のセル再選択装置。
【請求項１５】
前記セル決定手段は、同一の優先順位を有する複数のキャリアにおけるセルについて、セルがＰｒｏＳｅをサポートしており、且つ該セルの信号強度が前記所定閾値以上である場合、前記セルを前記再選択されるセルとして決定する、請求項１１に記載のセル再選択装置。
【請求項１６】
前記セル決定手段は、
同一の優先順位を有する複数のキャリアにおけるセルについて、該セルを、ＰｒｏＳｅをサポートしているセルとＰｒｏＳｅをサポートしていないセルとに分類する分類手段と、
前記ＰｒｏＳｅをサポートしているセルについて、信号強度が前記所定閾値以上であるセルを信号強度に従って並び替える並び替え手段と、
並び替え後の結果に基づいて、前記再選択されるセルを決定する結果決定手段と、を含む、請求項１１に記載のセル再選択装置。
【請求項１７】
前記結果決定手段は、並び替え後の信号強度の最も強いセルを、前記再選択されるセルとして決定する、請求項１６に記載のセル再選択装置。
【請求項１８】
通信システムであって、
ＰｒｏＳｅ（近接ベースサービス）を行うようにトリガされた場合、ＰｒｏＳｅをサポートしており、且つ信号強度が所定閾値以上であるセルを決定し、前記セルを再選択するユーザ装置、を含む、通信システム。
【請求項１９】
前記ユーザ装置は、再選択を行う前に、アイドル状態にあり、且つＰｒｏＳｅをサポートしていないセルに在圏し、
在圏セルの所在するキャリアにおける１つ又は複数のセルはＰｒｏＳｅをサポートしており、或いは在圏セルの所在するキャリアと同一の優先順位を有するキャリアにおける一部のセル又は全てのセルはＰｒｏＳｅをサポートしている、請求項１８に記載の通信システム。
【請求項２０】
前記ユーザ装置にシステム情報を送信する基地局、をさらに含み、
前記システム情報は、ＰｒｏＳｅをサポートしているセルの情報及び／又はＰｒｏＳｅをサポートしているキャリアの情報を含む、請求項１８に記載の通信システム。
【発明の詳細な説明】
【技術分野】
【０００１】
本発明は、通信技術の分野に関し、特にセル再選択方法、装置及び通信システムに関する。
【背景技術】
【０００２】
近接ベースサービス（ＰｒｏＳｅ：Ｐｒｏｘｉｍｉｔｙ−ｂａｓｅｄ  Ｓｅｒｖｉｃｅ）は、装置間（Ｄ２Ｄ：Ｄｅｖｉｃｅ  ｔｏ  Ｄｅｖｉｃｅ）サービスとも称されてもよく、現在は広く研究されている。ＰｒｏＳｅ通信方式は、コアネットワーク及び基地局を介さず、ユーザ装置（例えばＵＥ１及びＵＥ２）の間で通信リンクを直接確立してデータパケットの通信を行うことを指す。ＰｒｏＳｅ通信を行う前に、通常、ＰｒｏＳｅ発見プロセスを行う。例えば、ＵＥ１は、ＰｒｏＳｅ通信方式でＵＥ２に情報を送信する前に、まずＵＥ２が近接するか否かを発見する必要がある。
【０００３】
図１は従来技術におけるＰｒｏＳｅの発見又はＰｒｏＳｅ通信を示す図であり、同一の基地局（例えばｅＮＢ１）に属する２つのユーザ装置（例えばＵＥ１及びＵＥ２）によるＰｒｏＳｅ発見又はＰｒｏＳｅ通信を示している。図２は従来技術におけるＰｒｏＳｅの発見又は通信を示す他の図であり、異なる基地局（例えばｅＮＢ１及びｅＮＢ２）に属する２つのＵＥによるＰｒｏＳｅ発見又はＰｒｏＳｅ通信を示している。
【０００４】
ＵＥのＰｒｏＳｅ発見プロセスでは、ＵＥが発見プロセスを起動する（例えば発見信号を送信し、或いは発見信号を受信する）ようにトリガされた場合、ＵＥはＰｒｏＳｅ発見を行い、且つＰｒｏＳｅ発見リソースの割り当てを要求することを基地局に通知する。基地局は、ＵＥからの要求を受信した後に、ＵＥのためにＰｒｏＳｅ発見リソースを構成する。基地局は、専用シグナリング（Ｄｅｄｉｃａｔｅｄ  ｓｉｇｎａｌｉｎｇ）を介してＵＥのためにＰｒｏＳｅ発見リソースを構成してもよいし、システム情報ブロック（ＳＩＢ：Ｓｙｓｔｅｍ  Ｉｎｆｏｒｍａｔｉｏｎ  Ｂｌｏｃｋ）においてブロードキャストされたＰｒｏＳｅ発見リソースを直接用いることをＵＥに通知してもよい。
【０００５】
同様に、ＵＥがＰｒｏＳｅ通信を行うようにトリガされた場合、ＵＥはＰｒｏＳｅ通信を行い、且つＰｒｏＳｅ通信リソースの割り当てを要求することを基地局に通知する。基地局は、ＵＥからの要求を受信した後に、ＵＥのためにＰｒｏＳｅ通信リソースを構成する。基地局は、専用シグナリング（Ｄｅｄｉｃａｔｅｄ  ｓｉｇｎａｌｉｎｇ）を介してＵＥのためにＰｒｏＳｅ通信リソースを構成してもよいし、ＳＩＢにおいてブロードキャストされたＰｒｏＳｅ通信リソースを直接用いることをＵＥに通知してもよい。
【０００６】
なお、背景技術に関する上記の説明は、単なる本発明の技術案をより明確、完全に説明するためのものであり、当業者を理解させるために説明するものであり。これら技術案が本発明の背景技術の部分に説明されているから当業者にとって周知の技術であると解釈してはならない。
【発明の概要】
【発明が解決しようとする課題】
【０００７】
従来、１つのシナリオとしては、ユーザ装置がキャリア（Ｆ１で示す）のみでＰｒｏＳｅを行うことができるが、該キャリアＦ１において全てのセルがＰｒｏＳｅをサポートしていることではなく、即ちキャリアＦ１における一部のセルがＰｒｏＳｅをサポートしていないことが考えられる。ユーザ装置がＰｒｏＳｅをサポートしていないセルに在圏している場合、該ユーザ装置がＰｒｏＳｅを行うように上位層によりトリガされたときに、ユーザ装置はＰｒｏＳｅをサポートしている他のセルを再選択する必要がある。
【０００８】
もう１つのシナリオとしては、ユーザ装置がＰｒｏＳｅをサポートしていないキャリア（ｆ２で示してもよい）に在圏している場合、該ユーザ装置がＰｒｏＳｅを行うようにトリガされたときに、ＰｒｏＳｅをサポートしている他のキャリア（ｆ１で示してもよい）を再選択する必要がある。ここで、ｆ１及びｆ２は同一の優先順位に属することが考えられる。
【０００９】
しかし、本発明の発明者の発見によると、上記２つのシナリオでは、従来のセル再選択メカニズムにおいて、ユーザ装置が信号強度の測定結果に基づいて、Ｓルールを満たす同一の優先順位のキャリアの全てのセルを並び替える。Ｓルールとは、セルの信号強度が予め定義された閾値を超えていることを指す。そして、ユーザ装置は、並び替え結果に基づいて、信号の最も強いセルを再選択する。信号の最も強いセルがＰｒｏＳｅをサポートしていない場合、該ユーザ装置は新たなセルを選択してＰｒｏＳｅを行うことができない。
【００１０】
本発明の実施例は、信号の最も強いセルがＰｒｏＳｅをサポートしていない場合であっても、ユーザ装置は新たなセルを再選択してＰｒｏＳｅを行うことができるセル再選択方法、装置及び通信システムを提供する。
【課題を解決するための手段】
【００１１】
本発明の実施例の第１態様では、ＰｒｏＳｅ（近接ベースサービス）を行うようにトリガされたユーザ装置に適用されるセル再選択方法であって、前記ユーザ装置が、ＰｒｏＳｅをサポートしており、且つ信号強度が所定閾値以上であるセルを決定するステップと、前記ユーザ装置が、前記セルを再選択するステップと、を含む、セル再選択方法を提供する。
【００１２】
本発明の実施例の第２態様では、ＰｒｏＳｅ（近接ベースサービス）を行うようにトリガされたユーザ装置に配置されるセル再選択装置であって、ＰｒｏＳｅをサポートしており、且つ信号強度が所定閾値以上であるセルを決定するセル決定手段と、前記ユーザ装置が前記セルを再選択するようにさせるセル再選択手段と、を含む、セル再選択装置を提供する。
【００１３】
本発明の実施例の第３態様では、通信システムであって、ＰｒｏＳｅ（近接ベースサービス）を行うようにトリガされた場合、ＰｒｏＳｅをサポートしており、且つ信号強度が所定閾値以上であるセルを決定し、前記セルを再選択するユーザ装置、を含む、通信システムを提供する。
【００１４】
本発明の実施例の他の態様では、ユーザ装置においてプログラムを実行する際に、コンピュータに、上記のセル再選択方法を前記ユーザ装置において実行させる、コンピュータ読み取り可能なプログラムを提供する。
【００１５】
本発明の実施例の他の態様では、コンピュータに、上記セル再選択方法をユーザ装置において実行させるためのコンピュータ読み取り可能なプログラムを記憶する、記憶媒体を提供する。
【００１６】
本発明の実施例の有益な効果としては、セルがＰｒｏＳｅをサポートしており、且つ該セルの信号強度が所定閾値以上である場合、ユーザ装置は該セルを再選択する。これによって、信号の最も強いセルがＰｒｏＳｅをサポートしていない場合であっても、ユーザ装置は新たなセルを再選択してＰｒｏＳｅを行うことができる。
【００１７】
下記の説明及び図面に示すように、本発明の特定の実施形態が詳細に開示され、本発明の原理を採用できる方式が示される。なお、本発明の実施形態の範囲はこれらに限定されない。本発明の実施形態は、添付される特許請求の範囲の要旨及び項目の範囲内において、変更されたもの、修正されたもの及び均等的なものを含む。
【００１８】
１つの実施形態に記載された特徴及び／又は示された特徴は、同一又は類似の方式で１つ又はさらに多くの他の実施形態で用いられてもよいし、他の実施形態における特徴と組み合わせてもよいし、他の実施形態における特徴に代わってもよい。
【００１９】
なお、本文では、用語「包括／含む」は、特徴、部材、ステップ又はコンポーネントが存在することを指し、一つ又は複数の他の特徴、部材、ステップ又はコンポーネントの存在又は付加を排除しない。
【図面の簡単な説明】
【００２０】
本発明の多くの態様は、以下の図面を参照しながら理解できる。図面における素子は比例に応じて記載されたものではなく、本発明の原理を示すためのものである。本発明の一部分を示す又は記載するため、図面における対応部分は拡大或いは縮小される可能性がある。
【００２１】
本発明の１つの図面及び１つの実施形態に記載された要素及び特徴は、１つ又はさらに多くの図面又は実施形態に示された要素及び特徴と組み合わせてもよい。また、図面において、類似の符号は複数の図面における対応する素子を示し、１つ以上の実施形態に用いられる対応素子を示してもよい。
【図１】従来技術におけるＰｒｏＳｅの発見又は通信を示す図である。
【図２】従来技術におけるＰｒｏＳｅの発見又は通信を示す他の図である。
【図３】本発明の実施例１のセル再選択方法のフローチャートである。
【図４】本発明の実施例２のセル再選択方法のフローチャートである。
【図５】本発明の実施例３のセル再選択方法のフローチャートである。
【図６】本発明の実施例４のセル再選択装置の構成を示す図である。
【図７】本発明の実施例４のユーザ装置の構成を示す図である。
【図８】本発明の実施例５のセル決定部の構成を示す図である。
【図９】本発明の実施例７の通信システムの構成を示す図である。
【発明を実施するための形態】
【００２２】
図面を参照しながら、本発明の上記及び他の特徴を説明する。下記の説明及び図面に示すように、本発明の特定の実施形態が詳細に開示され、本発明の原理を採用できる実施形態の一部が示される。なお、本発明の実施形態の範囲はこれらに限定されない。本発明の実施形態は、添付される特許請求の範囲内において、変更されたもの、修正されたもの及び均等的なものを含む。
【００２３】
＜実施例１＞
本発明の実施例は、ＰｒｏＳｅ（近接ベースサービス）を行うようにトリガされたユーザ装置に適用されるセル再選択方法を提供する。図３は本発明の実施例のセル再選択方法のフローチャートであり、図３に示すように、該セル再選択方法は以下のステップを含む。
【００２４】
ステップ３０１：ユーザ装置は、ＰｒｏＳｅをサポートしており、且つ信号強度が所定閾値以上であるセルを決定する。
【００２５】
ステップ３０２：ユーザ装置は、該セルを再選択する。
【００２６】
本実施例では、再選択を行うためのセルがＰｒｏＳｅをサポートしており、且つ該セルの信号強度が所定閾値以上である。これによって、信号の最も強いセルがＰｒｏＳｅをサポートしていない場合であっても、ユーザ装置は新たなセルを再選択してＰｒｏＳｅを行うことができる。
【００２７】
本実施例では、セルがＰｒｏＳｅをサポートしているか否かについての情報は、ユーザ装置は基地局により送信されたシステム情報から知ることができる。また、セルのチャネル強度の取得及び所定閾値の設定について、従来技術における関連方式を用いて実現されてもよい。
【００２８】
上記実施例によれば、セルがＰｒｏＳｅをサポートしており、且つ該セルの信号強度が所定閾値以上である場合、ユーザ装置は該セルを再選択する。これによって、信号の最も強いセルがＰｒｏＳｅをサポートしていない場合であっても、ユーザ装置は新たなセルを再選択してＰｒｏＳｅを行うことができる。
【００２９】
即ち、ユーザ装置は、セルの再選択を行う際に、ランクを無視してもよく、該セルがＳルールを満たせば、ユーザ装置は該セルを再選択してもよい。或いは、ＰｒｏＳｅをサポートしているセルを信号強度順に並び替え、ユーザ装置はＰｒｏＳｅをサポートしており、且つ信号強度が最も強いセルを再選択してもよい。
【００３０】
＜実施例２＞
本発明の実施例は、実施例１をベースとして、セル再選択方法をさらに説明する。
【００３１】
本実施例では、再選択を行うためのセルを決定する前に、ユーザ装置がアイドル状態にあり、且つＰｒｏＳｅ（例えばＰｒｏＳｅ発見又はＰｒｏＳｅ通信）をサポートしていないセル（例えばｃｅｌｌ  １）に在圏（ｃａｍｐ）する。ここで、該セルの所在するキャリアをＦ１で示してもよく、該キャリアＦ１における１つ又は複数のセル（例えば一部のセルのみ）はＰｒｏＳｅをサポートしている。
【００３２】
図４は本発明の実施例のセル再選択方法のフローチャートである。図４に示すように、該方法は以下のステップを含む。
【００３３】
ステップ４０１：ユーザ装置は、基地局により送信されたシステム情報を受信する。
【００３４】
ここで、該システム情報は、ＰｒｏＳｅをサポートしているセルの情報及び／又はＰｒｏＳｅをサポートしているキャリアの情報を含む。例えば、現在のセル（例えばｃｅｌｌ  １）がＰｒｏＳｅをサポートしているか否か、又は隣接セル（例えばｃｅｌｌ  ２、ｃｅｌｌ  ３）はＰｒｏＳｅをサポートしているか否か等の情報を含む。
【００３５】
ステップ４０２：ユーザ装置は、ＰｒｏＳｅを行うようにトリガされる。
【００３６】
例えば、ユーザ装置は、ＰｒｏＳｅ発見信号を送信し、ＰｒｏＳｅ発見信号を受信し、或いはＰｒｏＳｅ通信を行うように上位層によりトリガされる可能性がある。なお、本発明はこれに限定されず、従来技術におけるＰｒｏＳｅをトリガする任意の方式であってもよい。
【００３７】
ステップ４０３：ユーザ装置は、同一のキャリアの複数のセルから、再選択を行うためのセルを決定する。
【００３８】
１つの態様では、同一のキャリアにおける複数のセルについて、セルがＰｒｏＳｅをサポートしており、且つ該セルの信号強度が所定閾値以上である場合、該セルを再選択のためのセルとして決定する。
【００３９】
例えば、キャリアＦ１における全てのセルは、ｃｅｌｌ  １、ｃｅｌｌ  ２、ｃｅｌｌ  ３、ｃｅｌｌ  ４、ｃｅｌｌ  ５、ｃｅｌｌ  ６等を含み、ＰｒｏＳｅをサポートしており、且つ信号強度が所定閾値よりも大きいセルは、ｃｅｌｌ  ２、ｃｅｌｌ  ５、ｃｅｌｌ  ６を含む場合、該ユーザ装置がＰｒｏＳｅを行うようにトリガされたときに、ユーザ装置は、セルｃｅｌｌ  ２、ｃｅｌｌ  ５及びｃｅｌｌ  ６のうち何れか１つを再選択する。
【００４０】
本実施例では、ＰｒｏＳｅをサポートしているセルの信号強度が予め設定された閾値よりも高い限り、該ユーザ装置は該セルを再選択する。即ち、ユーザ装置は、セル再選択のプロセスを行う際に、ランク（ＲＡＮＫ）ルールを無視する。これによって、新たなセルを再選択してＰｒｏＳｅを行うことができる。
【００４１】
もう１つの態様では、同一のキャリアにおける複数のセルについて、該複数のセルを、ＰｒｏＳｅをサポートしているセルとＰｒｏＳｅをサポートしていないセルとに分類し、該ＰｒｏＳｅをサポートしているセルについて、信号強度が該所定閾値以上であるセルを信号強度に従って並び替え、並び替え後の結果に基づいて、該再選択されるセルを決定する。
【００４２】
ここで、並び替え後の信号強度の最も強いセルを、該再選択されるセルとして決定してもよい。なお、本発明はこれに限定されず、例えば信号強度が２番目に大きいセルを、再選択されるセルとして決定してもよい。
【００４３】
例えば、キャリアＦ１における全てのセルは２種類、例えばＡ種類とＢ種類とに分けられる。Ａ種類のセルはＰｒｏＳｅをサポートしているものであり（例えばＡ種類のセルはｃｅｌｌ  ２、ｃｅｌｌ  ４、ｃｅｌｌ  ５、ｃｅｌｌ  ６等を含む）、Ｂ種類のセルはＰｒｏＳｅをサポートしていないものである（例えばＢ種類のセルはｃｅｌｌ  １、ｃｅｌｌ  ３等を含む）。
【００４４】
そして、ユーザ装置は、Ａ種類のセルのうち信号強度が所定閾値よりも大きい全てのセル（例えばｃｅｌｌ  ２、ｃｅｌｌ  ５、ｃｅｌｌ  ６）を信号強度に従って並び替え、並び替え後の結果は例えばｃｅｌｌ  ５、ｃｅｌｌ  ２、ｃｅｌｌ  ６となる。該ユーザ装置がＰｒｏＳｅを行うようにトリガされた場合、ユーザ装置は、Ａ種類のセルのうち信号強度の最も強いセルｃｅｌｌ  ５を再選択する。
【００４５】
本実施例では、ＰｒｏＳｅをサポートしており、且つ信号強度が所定閾値よりも高い複数のセルを並び替え、並び替え結果に基づいてセルを再選択する。これによって、信号強度の比較的に良い新たなセルを再選択してＰｒｏＳｅを行うことができる。
【００４６】
ステップ４０４：ユーザ装置は、ＰｒｏＳｅをサポートしているセルを再選択し、ＰｒｏＳｅを行い始める。
【００４７】
上記実施例によれば、ユーザ装置がアイドル状態にあり、且つＰｒｏＳｅをサポートしていないセルに在圏し、同一のキャリアにおける一部のセルのみがＰｒｏＳｅをサポートしている場合、該ユーザ装置がＰｒｏＳｅを行うようにトリガされたときに、セルがＰｒｏＳｅをサポートしており、且つ該セルの信号強度が所定閾値以上であると、ユーザ装置は該セルを再選択する。これによって、信号の最も強いセルがＰｒｏＳｅをサポートしていない場合であっても、ユーザ装置は新たなセルを再選択してＰｒｏＳｅを行うことができる。
【００４８】
＜実施例３＞
本発明の実施例は、実施例１をベースとして、セル再選択方法をさらに説明する。
【００４９】
本実施例では、再選択を行うためのセルを決定する前に、ユーザ装置がアイドル状態にあり、且つＰｒｏＳｅ（例えばＰｒｏＳｅ発見又はＰｒｏＳｅ通信）をサポートしていないセル（例えばｃｅｌｌ  １）に在圏する。ここで、該セルの所在するキャリアをｆ２で示してもよく、該キャリアｆ２がＰｒｏＳｅをサポートしておらず、もう１つのキャリア（ｆ１で示す）がＰｒｏＳｅをサポートしており、且つセル再選択ルールにおいてｆ１とｆ２は同一の優先順位にある。該キャリアｆ１においては、一部のセルのみがＰｒｏＳｅをサポートしてもよいし、全てのセルがＰｒｏＳｅをサポートしてもよい。
【００５０】
図５は本発明の実施例３のセル再選択方法のフローチャートである。図５に示すように、該方法は以下のステップを含む。
【００５１】
ステップ５０１：ユーザ装置は、基地局により送信されたシステム情報を受信する。
【００５２】
ここで、該システム情報は、ＰｒｏＳｅをサポートしているセルの情報及び／又はＰｒｏＳｅをサポートしているキャリアの情報を含む。例えば、現在のセル（例えばｃｅｌｌ  １）がＰｒｏＳｅをサポートしているか否か、若しくは隣接セル（例えばｃｅｌｌ  ２、ｃｅｌｌ  ３）はＰｒｏＳｅをサポートしているか否か、及び／又はどのキャリアがＰｒｏＳｅをサポートしているか、若しくはどのキャリアがＰｒｏＳｅをサポートしていないか等の情報を含む。
【００５３】
ステップ５０２：ユーザ装置は、ＰｒｏＳｅを行うようにトリガされる。
【００５４】
例えば、ユーザ装置は、ＰｒｏＳｅ発見信号を送信し、ＰｒｏＳｅ発見信号を受信し、或いはＰｒｏＳｅ通信を行うように上位層によりトリガされる。
【００５５】
ステップ５０３：ユーザ装置は、同一の優先順位の複数のキャリアにおける複数のセルから、再選択を行うためのセルを決定する。
【００５６】
１つの態様では、同一の優先順位の複数のキャリアにおける複数のセルについて、セルがＰｒｏＳｅをサポートしており、且つ該セルの信号強度が所定閾値以上である場合、該セルを再選択のためのセルとして決定する。
【００５７】
例えば、キャリアｆ２における全てのセルは、ｃｅｌｌ  １、ｃｅｌｌ  ２、ｃｅｌｌ  ３等を含み、キャリアｆ１における全てのセルは、ｃｅｌｌ  ４、ｃｅｌｌ  ５、ｃｅｌｌ  ６等を含む。ＰｒｏＳｅをサポートしており、且つ信号強度が所定閾値よりも大きいセルは、ｃｅｌｌ  ５、ｃｅｌｌ  ６を含む場合、該ユーザ装置がＰｒｏＳｅを行うようにトリガされたときに、ユーザ装置は、セルｃｅｌｌ  ５及びｃｅｌｌ  ６のうち何れか１つを再選択する。
【００５８】
本実施例では、ＰｒｏＳｅをサポートしているセルの信号強度が予め設定された閾値よりも高い限り、該ユーザ装置は該セルを再選択する。即ち、ユーザ装置は、セル再選択のプロセスを行う際に、ランク（ＲＡＮＫ）ルールを無視する。これによって、新たなセルを再選択してＰｒｏＳｅを行うことができる。
【００５９】
もう１つの態様では、同一の優先順位の複数のキャリアにおける複数のセルについて、該複数のセルを、ＰｒｏＳｅをサポートしているセルとＰｒｏＳｅをサポートしていないセルとに分類し、該ＰｒｏＳｅをサポートしているセルについて、信号強度が該所定閾値以上であるセルを信号強度に従って並び替え、並び替え後の結果に基づいて、該再選択されるセルを決定する。
【００６０】
ここで、並び替え後の信号強度の最も強いセルを、該再選択されるセルとして決定してもよい。なお、本発明はこれに限定されず、例えば信号強度が２番目に大きいセルを、再選択されるセルとして決定してもよい。
【００６１】
例えば、キャリアｆ１及びｆ２における全てのセルは２種類、例えばＡ種類とＢ種類とに分けられる。Ａ種類のセルはＰｒｏＳｅをサポートしているものであり（例えばｃｅｌｌ  ４、ｃｅｌｌ  ５、ｃｅｌｌ  ６等を含む）、Ｂ種類のセルはＰｒｏＳｅをサポートしていないものである（例えばＢ種類のセルはｃｅｌｌ  １、ｃｅｌｌ  ２、ｃｅｌｌ  ３等を含む）。
【００６２】
そして、ユーザ装置は、Ａ種類のセルのうち信号強度が所定閾値よりも大きい全てのセル（例えばｃｅｌｌ  ５、ｃｅｌｌ  ６）を信号強度に従って並び替え、並び替え後の結果は例えばｃｅｌｌ  ６、ｃｅｌｌ  ５となる。該ユーザ装置がＰｒｏＳｅを行うようにトリガされた場合、ユーザ装置は、Ａ種類のセルのうち信号強度の最も強いセルｃｅｌｌ  ６を再選択する。
【００６３】
本実施例では、ＰｒｏＳｅをサポートしており、且つ信号強度が所定閾値よりも高い複数のセルを並び替え、並び替え結果に基づいてセルを再選択する。これによって、信号強度の比較的に良い新たなセルを再選択してＰｒｏＳｅを行うことができる。
【００６４】
ステップ５０４：ユーザ装置は、ＰｒｏＳｅをサポートしているセルを再選択し、ＰｒｏＳｅを行い始める。
【００６５】
上記実施例によれば、ユーザ装置がアイドル状態にあり、且つＰｒｏＳｅをサポートしていないセルに在圏し、同一の優先順位の複数のキャリアにおける一部のセルのみがＰｒｏＳｅをサポートしている場合、該ユーザ装置がＰｒｏＳｅを行うようにトリガされたときに、セルがＰｒｏＳｅをサポートしており、且つ該セルの信号強度が所定閾値以上であると、ユーザ装置は該セルを再選択する。これによって、信号の最も強いセルがＰｒｏＳｅをサポートしていない場合であっても、ユーザ装置は新たなセルを再選択してＰｒｏＳｅを行うことができる。
【００６６】
＜実施例４＞
本発明の実施例は、ＰｒｏＳｅを行うようにトリガされたユーザ装置に配置されるセル再選択装置を提供する。本実施例は実施例１におけるセル再選択方法に対応するものであり、同様な内容についての説明を省略する。
【００６７】
図６は本発明の実施例のセル再選択装置の構成を示す図であり、図６に示すように、セル再選択装置６００は、セル決定部６０１及びセル再選択部６０２を含む。
【００６８】
セル決定部６０１は、ＰｒｏＳｅをサポートしており、且つ信号強度が所定閾値以上であるセルを決定する。
【００６９】
セル再選択部６０２は、該ユーザ装置が該セルを再選択するようにさせる。
【００７０】
本発明の実施例は上記セル再選択装置６００が配置されるユーザ装置をさらに提供する。
【００７１】
図７は本発明の実施例のユーザ装置のシステム構成を示すブロック図である。図７に示すように、ユーザ装置７００は、中央処理装置１００及び記憶装置１４０を含んでもよく、記憶装置１４０は中央処理装置１０に接続される。なお、該図は単なる例示的なものであり、電気通信機能又は他の機能を実現するように、他の種類の構成を用いて、該構成を補充又は代替してもよい。
【００７２】
１つの態様では、セル再選択装置６００の機能は中央処理装置１００に統合されてもよい。ここで、中央処理装置１００は、実施例１乃至３に記載された方法を実現するように構成されてもよい。
【００７３】
もう１つの態様では、セル再選択装置６００は中央処理装置１００とそれぞれ構成されてもよく、例えばセル再選択装置６００は中央処理装置１００に接続されたチップであり、中央処理装置１００の制御によりセル再選択装置６００の機能を実現してもよい。
【００７４】
図７に示すように、ユーザ装置７００は、通信モジュール１１０、入力部１２０、音声処理装置１３０、ディスプレイ１６０、及び電源１７０をさらに含んでもよい。なお、ユーザ装置７００は図７に示す全てのユニットを含む必要がない。また、ユーザ装置７００は、図７に示されていないユニットをさらに含んでもよく、従来技術を参照してもよい。
【００７５】
図７に示すように、中央処理装置１００は、コントローラ又は操作制御部とも称され、マイクロプロセッサ又は他の処理装置及び／又は論理装置を含んでもよく、中央処理装置１００は入力を受信し、ユーザ装置７００の各部の操作を制御する。
【００７６】
ここで、記憶装置１４０は、例えばバッファ、フラッシュメモリ、ハードディスク、移動可能な媒体、発揮性メモリ、不発揮性メモリ、又は他の適切な装置の１つ又は複数であってもよい。上記障害に関する情報を記憶してもよいし、関連情報を実行するためのプログラムをさらに記憶してもよい。また、中央処理装置１００は、記憶装置１４０に記憶されたプログラムを実行し、情報の記憶又は処理などを実現してもよい。他の部材は従来技術に類似するため、ここでその説明が省略される。端末装置７００の各部は、本発明の範囲から逸脱することなく、特定のハードウェア、ファームウェア、ソフトウェア又はその組み合わせによって実現されてもよい。
【００７７】
上記実施例によれば、セルがＰｒｏＳｅをサポートしており、且つ該セルの信号強度が所定閾値以上である場合、ユーザ装置は該セルを再選択する。これによって、信号の最も強いセルがＰｒｏＳｅをサポートしていない場合であっても、ユーザ装置は新たなセルを再選択してＰｒｏＳｅを行うことができる。
【００７８】
＜実施例５＞
本発明の実施例は、ＰｒｏＳｅを行うようにトリガされたユーザ装置に配置されるセル再選択装置を提供し、実施例４をベースとして説明する。本実施例は実施例２におけるセル再選択方法に対応するものであり、同様な内容についての説明を省略する。
【００７９】
本実施例では、ユーザ装置は、アイドル状態にあり、且つＰｒｏＳｅをサポートしていないセルに在圏し、同一のキャリアにおいて一部のセルのみはＰｒｏＳｅをサポートしている。
【００８０】
１つの態様では、セル決定部６０１は、同一のキャリアにおける複数のセルについて、セルがＰｒｏＳｅをサポートしており、且つ該セルの信号強度が前記所定閾値以上である場合、該セルを該再選択されるセルとして決定する。
【００８１】
もう１つの態様では、セル決定部は各セルをさらに並び替える。
【００８２】
図８は本発明の実施例のセル決定部の構成を示す図であり、図８に示すように、セル決定部６０１は、分類部８０１、並び替え部８０２及び結果決定部８０３を含んでもよい。
【００８３】
分類部８０１は、同一のキャリアにおける複数のセルについて、該複数のセルを、ＰｒｏＳｅをサポートしているセルとＰｒｏＳｅをサポートしていないセルとに分類する。
【００８４】
並び替え部８０２は、該ＰｒｏＳｅをサポートしているセルについて、信号強度が該所定閾値以上であるセルを信号強度に従って並び替える。
【００８５】
結果決定部８０３は、並び替え後の結果に基づいて、該再選択されるセルを決定する。
【００８６】
ここで、結果決定部８０３は、並び替え後の信号強度の最も強いセルを、該再選択されるセルとして決定してもよい。
【００８７】
上記実施例によれば、ユーザ装置がアイドル状態にあり、且つＰｒｏＳｅをサポートしていないセルに在圏し、同一のキャリアにおける一部のセルのみがＰｒｏＳｅをサポートしている場合、該ユーザ装置がＰｒｏＳｅを行うようにトリガされたときに、セルがＰｒｏＳｅをサポートしており、且つ該セルの信号強度が所定閾値以上であると、ユーザ装置は該セルを再選択する。これによって、信号の最も強いセルがＰｒｏＳｅをサポートしていない場合であっても、ユーザ装置は新たなセルを再選択してＰｒｏＳｅを行うことができる。
【００８８】
＜実施例６＞
本発明の実施例は、ＰｒｏＳｅを行うようにトリガされたユーザ装置に配置されるセル再選択装置を提供し、実施例４をベースとして説明する。本実施例は実施例３におけるセル再選択方法に対応するものであり、同様な内容についての説明を省略する。
【００８９】
本実施例では、ユーザ装置は、アイドル状態にあり、且つＰｒｏＳｅをサポートしていないセルに在圏し、同一の優先順位の複数のキャリアにおいて一部のセルのみはＰｒｏＳｅをサポートしている。
【００９０】
１つの態様では、セル決定部６０１は、同一の優先順位の複数のキャリアにおけるセルについて、セルがＰｒｏＳｅをサポートしており、且つ該セルの信号強度が該所定閾値以上である場合、該セルを該再選択されるセルとして決定する。
【００９１】
もう１つの態様では、セル決定部６０１は各セルをさらに並び替える。図８に示すように、セル決定部６０１は、分類部８０１、並び替え部８０２及び結果決定部８０３を含んでもよい。
【００９２】
この態様では、分類部８０１は、同一の優先順位の複数のキャリアにおける複数のセルについて、該複数のセルを、ＰｒｏＳｅをサポートしているセルとＰｒｏＳｅをサポートしていないセルとに分類する。並び替え部８０２は、該ＰｒｏＳｅをサポートしているセルについて、信号強度が該所定閾値以上であるセルを信号強度に従って並び替える。結果決定部８０３は、並び替え後の結果に基づいて、該再選択されるセルを決定する。
【００９３】
ここで、結果決定部８０３は、並び替え後の信号強度の最も強いセルを、該再選択されるセルとして決定してもよい。
【００９４】
上記実施例によれば、ユーザ装置がアイドル状態にあり、且つＰｒｏＳｅをサポートしていないセルに在圏し、同一の優先順位の複数のキャリアにおける一部のセルのみがＰｒｏＳｅをサポートしている場合、該ユーザ装置がＰｒｏＳｅを行うようにトリガされたときに、セルがＰｒｏＳｅをサポートしており、且つ該セルの信号強度が所定閾値以上であると、ユーザ装置は該セルを再選択する。これによって、信号の最も強いセルがＰｒｏＳｅをサポートしていない場合であっても、ユーザ装置は新たなセルを再選択してＰｒｏＳｅを行うことができる。
【００９５】
＜実施例７＞
本発明の実施例は通信システムを提供し、図９は本発明の実施例の通信システムの構成を示す図である。図９に示すように、通信システム９００はユーザ装置９０１を含む。
【００９６】
ここで、ユーザ装置９０１は、ＰｒｏＳｅ（近接ベースサービス）を行うようにトリガされた場合、ＰｒｏＳｅをサポートしており、且つ信号強度が所定閾値以上であるセルを決定し、該セルを再選択する。
【００９７】
本実施例では、ユーザ装置９０１は、再選択を行う前に、アイドル状態にあり、且つＰｒｏＳｅをサポートしていないセルに在圏し、同一のキャリアにおける１つ又は複数のセル（例えば一部のセルのみ）はＰｒｏＳｅをサポートしている。或いは、ユーザ装置９０１は、再選択を行う前に、アイドル状態にあり、且つＰｒｏＳｅをサポートしていないセルに在圏し、同一の優先順位の複数のキャリアにおける１つ又は複数のセルはＰｒｏＳｅをサポートしている。例えば、キャリアにおける一部のセルのみはＰｒｏＳｅをサポートしており、或いは該キャリアにおける全てのセルはＰｒｏＳｅをサポートしている。
【００９８】
図９に示すように、通信システム９００は、ユーザ装置９０１にシステム情報を送信する基地局９０２をさらに含んでもよい。
【００９９】
該システム情報は、ＰｒｏＳｅをサポートしているセルの情報及び／又はＰｒｏＳｅをサポートしているキャリアの情報を含む。
【０１００】
本発明の実施例は、ユーザ装置においてプログラムを実行する際に、コンピュータに、上記実施例１乃至３に記載のセル再選択方法を該ユーザ装置において実行させる、コンピュータ読み取り可能なプログラムをさらに提供する。
【０１０１】
本発明の実施例は、コンピュータに、上記実施例１乃至３に記載のセル再選択方法をユーザ装置において実行させるためのコンピュータ読み取り可能なプログラムを記憶する、記憶媒体をさらに提供する。
【０１０２】
本発明の以上の装置及び方法は、ハードウェアにより実現されてもよく、ハードウェアとソフトウェアを結合して実現されてもよい。本発明はコンピュータが読み取り可能なプログラムに関し、該プログラムはロジック部により実行される時に、該ロジック部に上述した装置又は構成要件を実現させる、或いは該ロジック部に上述した各種の方法又はステップを実現させることができる。本発明は上記のプログラムを記憶するための記憶媒体、例えばハードディスク、磁気ディスク、光ディスク、ＤＶＤ、フラッシュメモリ等に関する。
【０１０３】
一つ以上の機能ブロックおよび/または添付の図面内の機能ブロックの一つ以上の組合せは、汎用プロセッサ、デジタル信号プロセッサ（ＤＳＰ）、特定用途向け集積回路（ＡＳＩＣ）、フィールド・プログラマブル・ゲートとして実現されてもよいアレイ（ＦＰＧＡ）または他のプログラマブル論理デバイス、ディスクリートゲートまたはトランジスタ論理装置、ディスクリートハードウェアコンポーネント、またはそれらの任意の適切な組み合わせが挙げられる。これらはまた、例えば、ＤＳＰとマイクロプロセッサの組み合わせとして、コンピューティング機器の組み合わせとして通信ＤＳＰと組み合わせて、または任意の他のそのような構成における1つまたは複数のマイクロプロセッサ、複数のプロセッサを実現することができる。
【０１０４】
以上、具体的な実施形態を参照しながら本発明を説明しているが、上記の説明は、例示的なものに過ぎず、本発明の保護の範囲を限定するものではない。本発明の趣旨及び原理を離脱しない限り、本発明に対して各種の変形及び修正を行ってもよく、これらの変形及び修正も本発明の範囲に属する。
【図１】
2017537552.tif 000003
【図２】
2017537552.tif 000004
【図３】
2017537552.tif 000005
【図４】
2017537552.tif 000006
【図５】
2017537552.tif 000007
【図６】
2017537552.tif 000008
【図７】
2017537552.tif 000009
【図８】
2017537552.tif 000010
【図９】
2017537552.tif 000011
【国際調査報告】
2017537552.tif 000012
2017537552.tif 000013
2017537552.tif 000014
2017537552.tif 000015